(57)【要約】  【課題】  簡単な構成で、低コストであり、しかもディスクを排出した状態で確実にディスクを保持することが可能な、ディスクローディング装置を提供する。  【解決手段】  フラップ１３がシーソー様に前後に回動自在に取り付けられ、ねじりコイルバネ１５により、先端部とその下側に設けたローラ３との間にディスク２を挟み込む方向に付勢されている。フラップ１３は、それぞれ略薄板状の板金部材１３ａと樹脂部材１３ｂとよりなり、樹脂部材１３ｂはその後端部近傍を板金部材１３ａの下面にビス１６でネジ止めされることにより、固定されている。さらに、フラップ１３の板金部材１３ａ後端部上面でプッシュスイッチ１４を押し上げた状態となれば、ディスク２が無いとみなす構成としている。なお、プッシュスイッチ１４は、図示しないシャーシ４に取り付けられている。一方、弾性を有する樹脂部材１３ｂの先端部とローラ３とでディスク２を挟持する構成である。【選択図】      図３
2007058892.tif 000002
【特許請求の範囲】
【請求項１】
挿入口より挿入されたディスクをシーソー様に前後に回動可能なフラップと略鼓形状に
形成されてなるローラとの間で挟持し、前記ローラの回転により前記ディスクをセンタリ
ングしつつ、該ディスクを載置して回転するターンテーブルまで搬送するディスクローデ
ィング装置において、
前記フラップは板金部材と樹脂部材とよりなり、前記板金部材の後端部で前記ディスク
の有無を検知するプッシュスイッチを押すようにし、前記樹脂部材の先端部と前記ローラ
との間で前記ディスクを挟持するようにしてなり、
前記樹脂部材の先端部と前記ローラとの間で前記ディスクの端部を挟持しつつ、前記板
金部材の後端部で前記プッシュスイッチを押すようにしてなり、
前記樹脂部材の先端部と前記ローラとの間で前記ディスクの中程を挟持するときは、前
記板金部材の後端部での前記プッシュスイッチの押圧を解除するようにしてなることを特
徴とするディスクローディング装置。
【請求項２】
挿入口より挿入されたディスクをシーソー様に前後に回動可能なフラップと略鼓形状に
形成されてなるローラとの間で挟持し、前記ローラの回転により前記ディスクをセンタリ
ングしつつ、該ディスクを載置して回転するターンテーブルまで搬送するディスクローデ
ィング装置において、
前記フラップは板金部材と樹脂部材とよりなり、前記板金部材の後端部で前記ディスク
の有無を検知するプッシュスイッチを押すようにし、前記樹脂部材の先端部と前記ローラ
との間で前記ディスクを挟持するようにしたことを特徴とするディスクローディング装置
。
【請求項３】
前記樹脂部材の先端部と前記ローラとの間で前記ディスクの端部を挟持しつつ、前記板
金部材の後端部で前記プッシュスイッチを押すようにしたことを特徴とする請求項２に記
載のディスクローディング装置。
【発明の詳細な説明】
【技術分野】
【０００１】
本発明は、ＣＤ，ＤＶＤ等のディスクを保持して当該ディスクをターンテーブルに載置
する、ディスクローディング装置に関するものである。
【背景技術】
【０００２】
従来より、このようなディスクに対して記録或いは再生を行うディスクプレーヤとして
、例えばケース外面に設けられたディスク挿入口からディスクを挿入することにより、こ
のディスクを所定位置に自動で搬入する形式の、いわゆるスロットインモデルのディスク
ローディング装置を備えたディスクプレーヤが知られている。
【０００３】
このようなディスクプレーヤは、上記ディスクローディング装置によって、前記挿入口
に挿入されたディスクを、ターンテーブル上の所定位置に移動させ、クランパーによりこ
のディスクをターンテーブル上に固定保持するようになっている。そして、ターンテーブ
ルを回転駆動することによりディスクを回転させ、回転するディスクの記録面に対してピ
ックアップにより信号を書き込み或いは読み出す構成としている。
【０００４】
図４は、従来のディスクローディング装置の概略平面図である。同図に示すように、こ
のディスクローディング装置においては、シャーシ４の前部に図示しないフラップが、シ
ーソー様に前後に回動自在に取り付けられ、またターンテーブル５が中心付近に、及び略
長板状のディスクストッパ６がその奥側に配設されている。ディスクストッパ６の左右両
端には、それぞれ下面より下方へ延びる略円柱状のボス６ａ、及び６ｂ，６ｄが設けられ
ている。
【０００５】
また、ディスクストッパ６の中央付近には、ディスクストッパ６が前後にスライドする
際のガイドとなるガイドリブ６ｃが設けられている。このガイドリブ６ｃは、シャーシ４
の中心付近より後方にかけて延在するスリット４ｂに嵌合し、これに沿ってスライド可能
となっており、ひいてはディスクストッパ６が前後にスライドする。
【０００６】
ここでは直径８ｃｍの小径ディスクが挿入された場合の動作を説明する。同図に示すよ
うに、小径のディスク２がシャーシ４の前部に形成される挿入口４ａから挿入されると、
図示しないフラップとその下側に設けたローラ３との間に、ディスク２が挟み込まれ、こ
の状態でローラ３が回転すると、ディスク２がシャーシ４の内部へと引き込まれる。なお
、同図では小径のディスク２が挿入口４ａの右寄りの位置に挿入された場合を示している
。
【０００７】
ここで、上記ローラ３はシャーシ４の前部で左右方向に延在しており、直径１２ｃｍの
大径ディスクも搬送できるようになっている。そして、比較的径が小さい中央部分から左
右両側に向かって、テーパ状に漸次径が大きくなるいわゆる略鼓形状に形成されている。
この形状により、ローラ３の回転により搬送されるディスク２は、搬送方向に垂直な方向
に関して、内側に向かう力を受けることになる。従ってディスク２は、挿入時に左或いは
右にずれていたとしても、ローラ３による搬送の際に、ローラ３の形状に基づいてセンタ
リングが行われ得る。
【０００８】
さて、挿入口４ａの右寄りの位置に挿入されたディスク２は、シャーシ４内部に搬送さ
れ、ディスクストッパ６の右端部に設けたボス６ｄに接触する。この状態で、ディスク２
はセンタリングに伴う回転を開始する。続いて、ディスク２は上記内側に搬送され、ディ
スクストッパ６と嵌合してセンタリングが終了する。さらに、ディスク２はシャーシ４奥
側に搬送されるので、これによりディスクストッパ６が押し込まれ、チャッキング開始の
トリガーがかかる。
【０００９】
このとき、ディスク２の中心孔がターンテーブル５の真上に位置しているので、図示し
ないクランパーが下降することにより、ターンテーブル５との間でディスク２が挟み込ま
れ、チャッキングが終了する。なお、ディスク２が挿入口４ａの左寄りの位置に挿入され
た場合においても、ディスク２の動作が左右逆となるのみであり、同様にセンタリング及
びチャッキングが行われる。
【００１０】
以上のようにして、従来のいわゆるスロットインモデルのディスクローディング装置に
おいては、小径のディスクが挿入時に左或いは右にずれていたとしても、センタリングが
行われてスムーズにチャッキングされる。また、大径のディスクの場合はなおさら問題な
くローディング動作を行うことができる。
【００１１】
なお、同図に示すように、シャーシ４の左部にはアーム状のディスクセレクタ７が前後
に延在しており、その前端部には下面より下方へ延びる略円柱状のボス７ａが設けられて
いて、挿入されたディスクによりボス７ａが押圧されるときの状態で、そのディスクが小
径であるか大径であるかを判別する構成となっている。
【００１２】
図５は、従来のディスクローディング装置の上記フラップ及びその近傍の様子を示す図
であり、右側面図としている。同図において、フラップ１１は上述したように、シーソー
様に前後に回動自在に取り付けられ、先端部とその下側に設けたローラ３との間にディス
ク２を挟み込む方向に付勢されている。なお、フラップ１１は樹脂製であるが、その上面
に板金製のプレート１２が貼付され、補強されている。
【００１３】
シャーシ４上には、フラップ１１の先端より奥側でディスク２の通路より上側に、光学
式のディスクセンサーＳが配設されており、これにより投受光を行ってディスク２の有無
を検知する。具体的には、ディスクセンサーＳ中の投光素子（例えばＬＥＤ）から出た光
Ｌが、ディスク２の通路より下側に配置された図示しないプリズムを通って、ディスクセ
ンサーＳ中の受光素子（例えばフォトトランジスタ）に入る構成であり、ディスク２の通
過中は光Ｌが遮断されて受光されなくなるので、これによりディスク２を検知する仕組み
である。
【００１４】
特に、ディスク２の排出時には、ディスクセンサー１３により受光が確認された時点で
ローラ３の回転が停止し、同図に示すように、ディスク２の後端部をフラップ１１の先端
部とローラ３とで挟んだ状態のまま、ディスク２を停止させるようになっている。この状
態では、ディスク２が上記挿入口４ａから突出しており、使用者がディスク２を取り出し
やすくなる。なお、以上のことは、ディスク２が大径のディスクであった場合も同様であ
る。
【００１５】
その他、ディスク出入口を閉じて埃の侵入を防止するとともに、ディスク状記録媒体が
出し入れされる際の抵抗力を変化させて、挿入時にはディスク状記録媒体を容易に挿入す
ることができる一方、排出時にはディスク出入口の中途部まで出たディスク状記録媒体を
保持することができるようにした、ディスク記録及び／又は再生装置が特許文献１に開示
されている。
【００１６】
具体的には、ディスク出入口を覆うように筐体に装着されるゲート部材に、ディスク出
入口を閉鎖するとともにディスク状記録媒体が通過される切り口を有するゲートカバーと
、切り口をディスク状記録媒体が通過するときにディスク状記録媒体の平面に接触する切
り口周縁部の抵抗力をディスク状記録媒体の通過方向に応じて変更させる抵抗力変更手段
と、を設けた構成としている。
【特許文献１】特開２００２−３３４４９９号公報
【発明の開示】
【発明が解決しようとする課題】
【００１７】
しかしながら、上述したような従来の各構成では、構造が複雑でコストアップとなる上
に、部品のレイアウトに制約が生じ、小型化を図る上でも不利となる。本発明は、このよ
うな問題点に鑑み、簡単な構成で、低コストであり、しかもディスクを排出した状態で確
実にディスクを保持することが可能な、ディスクローディング装置を提供することを目的
とする。
【課題を解決するための手段】
【００１８】
上記目的を達成するために、本発明では、挿入口より挿入されたディスクをシーソー様
に前後に回動可能なフラップと略鼓形状に形成されてなるローラとの間で挟持し、前記ロ
ーラの回転により前記ディスクをセンタリングしつつ、該ディスクを載置して回転するタ
ーンテーブルまで搬送するディスクローディング装置において、前記フラップは板金部材
と樹脂部材とよりなり、前記板金部材の後端部で前記ディスクの有無を検知するプッシュ
スイッチを押すようにし、前記樹脂部材の先端部と前記ローラとの間で前記ディスクを挟
持するようにしたことを特徴とする。
【００１９】
また、前記樹脂部材の先端部と前記ローラとの間で前記ディスクの端部を挟持しつつ、
前記板金部材の後端部で前記プッシュスイッチを押すようにしたことを特徴とする。
【発明の効果】
【００２０】
本発明によれば、簡単な構成で、低コストであり、しかもディスクを排出した状態で確
実にディスクを保持することが可能な、ディスクローディング装置を提供することができ
る。
【００２１】
具体的には、フラップを板金部材と樹脂部材とで構成し、スイッチを押すのは撓みの少
ない板金部材で行うこととし、ディスクの保持は樹脂部材の撓みを利用して行うようにし
たことにより、それぞれの機能を独立させて、ディスクを保持しつつスイッチを確実に押
した状態を維持することが可能となる。これにより、従来の光学式センサーを廃止して一
般的なプッシュスイッチを採用できるので、簡単な構成で低コストのディスクローディン
グ装置を実現することができる。
【発明を実施するための最良の形態】
【００２２】
以下、本発明の実施の形態について、図面を参照しながら説明する。なお、上記従来の
技術と同様の機能を有する部分には同一の符号を付して、詳細な説明を適宜省略する。
【実施例１】
【００２３】
図１〜図３は、本発明の実施例１に係るディスクローディング装置のフラップ及びその
近傍の様子を示す図であり、右側面断面図としている。図１はディスクを挟んでいない状
態、図２はディスクの中程を挟んだ状態、図３はディスク後端部を挟んだ状態をそれぞれ
示している。
【００２４】
本実施例では各図に示すように、フラップ１３がシーソー様に前後に回動自在に取り付
けられ、ねじりコイルバネ１５により、先端部とその下側に設けたローラ３との間にディ
スク２を挟み込む方向に付勢されている。フラップ１３は、それぞれ略薄板状の板金部材
１３ａと樹脂部材１３ｂとよりなり、樹脂部材１３ｂはその後端部近傍を板金部材１３ａ
の下面にビス１６でネジ止めされることにより、固定されている。
【００２５】
ねじりコイルバネ１５は、図示しないシャーシ４側に係止されるアーム１５ａと、フラ
ップ１３側に係止されるアーム１５ｂとを有しており、一方、樹脂部材１３ｂ上面よりボ
ス１３ｂａが延び、これは板金部材１３ａの逃げ孔１３ａａを経て板金部材１３ａ上方に
突出していて、上端をアーム１５ｂにより押さえつけられている。これにより、図１に示
したように樹脂部材１３ｂが撓み、その先端部が下がって板金部材１３ａ下面より離れた
状態となる。但し先端部がローラ３に接触することはない。
【００２６】
さらに本実施例では、上記従来のような光学式のディスクセンサーの代わりに、プッシ
ュスイッチを用いてディスクの有無を検知している。具体的には、フラップ１３の板金部
材１３ａ後端部上面でプッシュスイッチ１４を押し上げた状態となれば、ディスク２が無
いとみなす構成としている。なお、プッシュスイッチ１４は、図示しないシャーシ４に取
り付けられている。一方、弾性を有する樹脂部材１３ｂの先端部とローラ３とでディスク
２を挟持する構成である。
【００２７】
さて、本ディスクローディング装置によりディスクプレーヤからディスクを排出する場
合を考える。まず、ディスク２が排出される前は、図１に示したように、フラップ１３の
樹脂部材１３ｂが撓み、その先端部が下がって板金部材１３ａ下面より離れた状態となっ
ている。この状態では、フラップ１３の板金部材１３ａ先端部も下がっており、後端部上
面でプッシュスイッチ１４が押し上げられているので、これによりディスク２が無いと判
断される。
【００２８】
次に、ディスク２の排出中は、図２に示したように、樹脂部材１３ｂの先端部とローラ
３とでディスク２の前後方向中程を挟んだ状態となっているので、樹脂部材１３ｂの先端
部が、装置の左右方向即ち図の紙面に垂直の方向に、広範囲に渡ってディスク２と接触し
、これにより持ち上げられる。そして、これに伴い、樹脂部材１３ｂからの力を受けて板
金部材１３ａの先端部も持ち上げられるので、他方、板金部材１３ａの後端部は下がって
プッシュスイッチ１４の押圧が解除され、これによりディスク２が有る（通過中である）
と判断される。
【００２９】
なお、ディスク２は円形をしているため、樹脂部材１３ｂの先端部とローラ３とでディ
スク２を挟む位置が、ディスク２の前後方向中央から端部へ向かうにつれて、樹脂部材１
３ｂの先端部がディスク２と接触する範囲は、ディスク２の直径の長さから徐々に小さく
なり、端部で最小となることは言うまでもない。
【００３０】
最後に、ディスク２が排出されると、図３に示したように、樹脂部材１３ｂの先端部と
ローラ３とでディスク２の後端部を挟んだ状態となり、樹脂部材１３ｂの先端部は装置の
左右方向の一部（中央付近）のみがディスク２と接触し、これにより持ち上げられたまま
となる。一方、ディスク２と接触しない部分は下がるので、図１と同様にして、板金部材
１３ａ下面より離れた状態となる。
【００３１】
この場合、板金部材１３ａは樹脂部材１３ｂからはあまり力を受けなくなるので、板金
部材１３ａ先端部が再び下がった状態となり、後端部上面でプッシュスイッチ１４が押し
上げられるので、これによりディスク２が無い（排出完了）と判断される。そして、ディ
スク２の排出完了が確認された時点でローラ３の回転が停止し、同図に示すように、ディ
スク２の後端部を樹脂部材１３ｂの先端部とローラ３とで挟んだ状態のまま、ディスク２
を停止させる。
【００３２】
この状態では、ディスク２が上記挿入口４ａから突出しており、使用者がディスク２を
取り出しやすくなる。なお、上記ではディスク排出時の状態を説明したが、ディスク挿入
時の状態も、動作が逆になるだけで基本的には同様である。
【００３３】
以上説明したように、本発明によれば、フラップを板金部材と樹脂部材とで構成し、ス
イッチを押すのは撓みの少ない板金部材で行うこととし、ディスクの保持は樹脂部材の撓
みを利用して行うようにしたことにより、それぞれの機能を独立させて、ディスクを保持
しつつスイッチを確実に押した状態を維持することが可能となる。これにより、従来の光
学式センサーを廃止して一般的なプッシュスイッチを採用できるので、簡単な構成で低コ
ストのディスクローディング装置を実現することができる。
【図面の簡単な説明】
【００３４】
【図１】本発明の実施例１に係るディスクローディング装置のフラップ及びその近傍の様子を示す図（ディスクを挟んでいない状態）。
【図２】本発明の実施例１に係るディスクローディング装置のフラップ及びその近傍の様子を示す図（ディスクの中程を挟んだ状態）。
【図３】本発明の実施例１に係るディスクローディング装置のフラップ及びその近傍の様子を示す図（ディスク後端部を挟んだ状態）。
【図４】従来のディスクローディング装置の概略平面図。
【図５】従来のディスクローディング装置のフラップ及びその近傍の様子を示す図。
【符号の説明】
【００３５】
２    ディスク
３    ローラ
４    シャーシ
４ａ    挿入口
５    ターンテーブル
６    ディスクストッパ
６ａ，６ｂ，６ｄ    ボス
６ｃ    ガイドリブ
７    ディスクセレクタ
７ａ    ボス
１１    フラップ
１２    プレート
１３    フラップ
１３ａ    板金部材
１３ａａ    逃げ孔
１３ｂ    樹脂部材
１３ｂａ    ボス
１４    プッシュスイッチ
１５    ねじりコイルバネ
１５ａ，１５ｂ    アーム
１６    ビス
Ｓ    ディスクセンサー
Ｌ    光
【図１】
2007058892.tif 000003
【図２】
2007058892.tif 000004
【図３】
2007058892.tif 000005
【図４】
2007058892.tif 000006
【図５】
2007058892.tif 000007